Podtech/llm-jp-corpus-v4-ja_patent huggingface dataset:
(57)【要約】      （修正有）【課題】濡れた髪を、急速に乾燥する事のできるドライキャップを提供する。【解決手段】使用者の頭部が入り、頭部とドライキャップの間に十分な空間をもつ大きさとし、使用者は下部開口部より頭部をいれて、かぶる。また、顔の輪郭より大きく取った顔側開口部の円周部端を折り返し形成された通し孔にチューブ２を通し、開口部を広げ固定し、それにより生じた頭部とドライキャップとの間の空間に、ドライヤーの風が取り込まれ、送り込まれた風が、ドライキャップ内で循環する。さらに、ドライキャップ本体内側に、保温効果を高める断熱シート３を内張りする。【選択図】図１
0003170698.tif 000002
【実用新案登録請求の範囲】
【請求項１】
ドライキャップ本体顔側開口部の円周部端を折り返し形成された通し孔に、チューブを通す事により開口部が広がり固定され、ドライヤーの風を取り込みやすくする事と、ドライキャップと頭部の間に生じた空間にドライヤーの風を循環させる事を特徴とするドライキャップ。
【請求項２】
ドライキャップ本体内側に、断熱シートを内張りする事で、ドライキャップの保温効果を高め、乾燥時間を短縮するドライキャップ。
【考案の詳細な説明】
【技術分野】
【０００１】  本考案は、洗髪後の髪をドライヤーを使い乾燥させる時に頭部に被り急速に髪を乾燥させる事ができる頭巾型ドライキャップに関する。
【背景技術】
【０００２】  従来ドライヤーを使い、濡れた髪を乾燥させる時、頭部にタオル等をかぶせていた。
【考案の概要】
【考案が解決しようとする課題】
【０００３】  しかし、これではドライヤーの風が放散し、また頭に被せたタオルと頭が密着し、その間に風を送り込めない為、熱効率が悪く、乾燥時間が長くかかる。本考案は洗髪後の頭部に被り、急速に髪を乾燥させる頭巾型ドライキャップの提供を目的とする。
【課題を解決するための手段】
【０００４】  顔の輪郭より大きくとったドライキャップ顔側開口部の円周部端を折り返し形成された通し孔に、チューブを通す。
それにより開口部が広く固定されドライヤーの風が取り込みやすくなる。また、頭部とドライキャップとの間の空間でドライヤーの風が循環するため熱効率が高まる。【０００５】  ドライキャップ本体内側に、断熱シートを内張りする事で、保温効果が高まる。
【考案の効果】
【０００６】  本考案のドライキャップによれば、ドライキャップ顔側開口部の円周部端を折り返し形成された通し孔に、通したチューブが開口部を広げ固定し、ドライヤーの風が取り込まれやすくなり、また送り込まれた風が放散せずドライキャップ内で循環するため熱効率が高まる。またドライキャップ本体内側に内張りした断熱シートにより保温効果が高まる。よって洗髪後の髪をドライヤーで乾燥させる時間を短縮することができる。
【図面の簡単な説明】
【０００７】
【図１】  本考案のドライキャップの使用状態を示す図である。
【考案を実施するための形態】
【０００８】  本考案にかかるドライキャップは図１に示すように使用者の頭部が入り、頭部とドライキャップの間に十分な空間をもつ大きさとし、使用者は下部開口部より頭部をいれて、かぶる。
顔の輪郭より大きく取った顔側開口部の円周部端を折り返し形成された通し孔にチューブ２を通し、開口部を広げ固定し、それにより生じた頭部とドライキャップとの間の空間に、ドライヤーの風が取り込まれ、送り込まれた風が、ドライキャップ内で循環する。
【０００９】  ドライキャップ本体内側に、保温効果を高める断熱シート３を内張りする。
【符号の説明】
【００１０】  １    ドライキャップ本体
２    チューブ
３    断熱シート
【図１】
0003170698.tif 000003
【手続補正書】
【提出日】平成23年7月5日(2011.7.5)
【手続補正１】
【補正対象書類名】実用新案登録請求の範囲
【補正対象項目名】請求項２
【補正方法】変更
【補正の内容】
【請求項２】
ドライキャッツプ本体内側に、断熱シートを内張りした事を特徴とする請求項１記載のドライキャップ。
(57)【要約】      （修正有）【課題】カップ脇にフレームをつけたり、パットを入れることなく、かつワイヤレスでバストメイクを可とするバストアップ機能付ブラジャーを提供する。【解決手段】ブラジャーのアンダーのライン６のカーブを急な形状にして、着用することで直線的になった時、カップ全体が内側に寄り、ワイヤーレス仕様なのでワイヤー同士がぶつかる事無く、バストをより効果的に寄せて、上げて綺麗な谷間が出来るようバストメイクする。【選択図】図１
0003170696.tif 000002
【実用新案登録請求の範囲】
【請求項１】
本考案は、ブラジャーのアンダーライン▲６▼のカーブを急な形状にして、着用することで直線的になった時、カップ全体が内側に寄り、ワイヤーレス仕様なのでワイヤー同士がぶつかる事無く、バストをより効果的に寄せて、上げて綺麗な谷間が出来るようバストメイクする。
【考案の詳細な説明】
【考案の詳細な説明】
【技術分野】
【０００１】本考案は、バストアップに寄与するブラジャーの応用に関するものである。
【従来技術】
【０００２】バストアップ機能付ブラジャーは様々なメーカーから発売されているが、バストアップを行う場合、カップ脇にフレームを付け、それをストラップで引き上げる方法や、カップの中にパットを入れる方法が一般的である。
【考案が解決しようとする課題】
【０００３】これらバストアップ機能付ブラジャーは、基本的にワイヤーが入っているため、バストアップ時にワイヤー同士がぶつかり、バストを寄せることが出来ずバストを寄せるためにはカップを着用時に変形させる工夫が必要だが、ワイヤーが入っていることで、カップが固定化され、変形させることが難しい。
さらにパットを入れたとしても、胸をつぶして谷間をつくったり、単純にボリュームをアップするだけなので、バストメイクは望めない。
【考案を解決する手段】
【０００４】本考案は、ブラジャーのアンダーライン▲６▼のカーブを急な形状にして、着用することにより直線的になった時、カップ全体が内側に寄り、バストをより効果的に寄せて、上げてバストメイクする。本考案はブラジャーのカップ作りの時、レモン型のカップ▲１▼を製作する所から始まる。基本的にワイヤーは入れない。
どうしてもワイヤーを必要とする場合は、カップを寄せた時、前中心でワイヤーの先端同士がぶつからない様に注意する。ワイヤーの先端同士がぶつかると胸を寄せることが出来ない。
アンダーのラインは半径２５ｃｍ〜４５ｃｍでアンダーラインを作成する。［図８］
ストラップは一般的なブラジャーの脇上辺に付けるのではなく、フックアイ▲３▼▲４▼の所から後中心を通り、カップ上辺▲７▼に取り付ける。
このことにより、アンダーラインを後ろ側から持ち上げ、最高のバストメイクが期待できる。
前中心は磁石▲２▼で動きに余裕がありカップが寄るデザインになっているが、磁石でなくても同じ用途で使えれば、通常のフロントホックや、土台にカップ同士を突合せ▲８▼にして付けてもノンワイヤーであれば同じ効果が得られる。
フロントホックでも必ずフックアイ▲３▼▲４▼は取り付ける。
フックアイ▲３▼▲４▼を付けることにサイズ調整が可能になり、より精密なバストアップが可能になる。
【考案を効果】
【０００５】▲１▼  バストメイクするとき、カップにフレームを付けたり、パットを入れたりしないので製造コストを抑えられる。
▲２▼  ワイヤーレスのデザインなのでワイヤーが当たって、擦れて痛いなどの、問題がなくなる。
▲３▼  デザインや加工方法が容易であるから、大量生産ができるメリットがある。
▲４▼  人間工学に基づいた、設計なので身体に余計な負担をかけないで、バストメイクできる。
【図面の簡単な説明】
【図１】本考案のバストアップ機能付ブラジャー磁石仕様、正面図
【図２】本考案のバストアップ機能付ブラジャー磁石仕様、裏面図
【図３】本考案のバストアップ機能付ブラジャー標準仕様、正面図
【図４】本考案のバストアップ機能付ブラジャー標準仕様、着用時正面図
【図５】本考案のバストアップ機能付ブラジャー磁石仕様、着用変化正面図▲１▼
【図６】本考案のバストアップ機能付ブラジャー磁石仕様、着用変化正面図▲２▼
【図７】本考案のバストアップ機能付ブラジャー磁石仕様、着用変化正面図▲３▼
【図８】本考案のバストアップ機能付ブラジャー磁石仕様、参考正面図▲３▼
【符号の説明】▲１▼  レモン型カップ
▲２▼  磁石型フロントホック
▲３▼  フックアイ  メス
▲４▼  フックアイ  オス
▲５▼  ストラップ後取付け部分
▲６▼  アンダーテープ
▲７▼  ストラップカップ取付け部分
▲８▼  前中心突合せ部分
【図１】
0003170696.tif 000003
【図２】
0003170696.tif 000004
【図３】
0003170696.tif 000005
【図４】
0003170696.tif 000006
【図５】
0003170696.tif 000007
【図６】
0003170696.tif 000008
【図７】
0003170696.tif 000009
【図８】
0003170696.tif 000010
【手続補正書】
【提出日】平成23年7月4日(2011.7.4)
【手続補正１】
【補正対象書類名】実用新案登録請求の範囲
【補正対象項目名】全文
【補正方法】変更
【補正の内容】
【実用新案登録請求の範囲】
【請求項１】
ブラジャーのアンダーのライン▲６▼のカーブを急な形状にして、着用することで直線的になった時、カップ全体が内側に寄り、ワイヤーレス仕様なのでワイヤー同士がぶつかる事無く、バストをより効果的に寄せて、上げて綺麗な谷間が出来るようバストメイクするバストアップ機能付ブラジャー。
(57)【要約】      （修正有）【課題】連結式アルミ大引の支柱間部支持体を提供する。【解決手段】支柱上の部分と支柱間の部分に分割できる型枠支保工の上部に取付ける連結式アルミ大引の支柱間部支持体であって、両側面に連結棒が収まる溝およびピン挿通孔を有しており、着脱自在な大引材の支柱上部分と支柱間部端部に設けられたピン挿通孔に連結ピンで連結できる。上面が短く、下面が長い形状とし両端の斜め形状の切り口角度が、支柱上部支持体の切り口角度と相対する角度になっている。【選択図】図３
0003170677.tif 000002
【実用新案登録請求の範囲】
【請求項１】
通常、２〜４ｍ程度の長さを有する型枠支保工の支柱上部に取付ける大引材を、支柱上の部分と、支柱間の部分に分割し、取り外したい部分から取り外し可能な構造とした連結式アルミ大引の支柱間部支持体。
【請求項２】
支持体は上面が短く下面が長い形状とし、両端の斜め形状の切り口角度が、支柱上部支持体の切り口角度と同じ角度でテーパーがつけられ、取り外し易い形状とする。
【考案の詳細な説明】
【図面の簡単な説明】
【０００１】
【図１】本考案の使用状態を示す側面図である。
【図２】本考案の使用状態を示す平面図である。
【図３】本考案の一実施例を示す斜視図である。
【図４】本考案の一実施例を示す平面図である。
【図５】本考案の一実施例を示す側面図である。
【図６】本考案の一実施例を示す正面図である。
【符号の説明】
【０００２】
1支保工支柱、2連結棒、3支柱間支持体、4支柱上支持体、5連結ピン、６天板、７上鍔片、８上側板、9ピン挿通孔、10中鍔片、11下側板、12下鍔片、13連結ピン挿通孔、14補強材
【図１】
0003170677.tif 000003
【図２】
0003170677.tif 000004
【図３】
0003170677.tif 000005
【図４】
0003170677.tif 000006
【図５】
0003170677.tif 000007
【図６】
0003170677.tif 000008
【手続補正書】
【提出日】平成23年7月5日(2011.7.5)
【手続補正１】
【補正対象書類名】実用新案登録請求の範囲
【補正対象項目名】全文
【補正方法】変更
【補正の内容】
【実用新案登録請求の範囲】
【請求項１】
支柱上の部分と支柱間の部分に分割できる型枠支保工の上部に取付ける連結式アルミ大引の支柱間部支持体であって、両側面に連結棒が収まる溝およびピン挿通孔を有しており、着脱自在な前記大引材の支柱上部分と支柱間部端部に設けられたピン挿通孔に連結ピンで連結できることを特徴とした連結式アルミ大引の支柱間部支持体。
【請求項２】
上面が短く、下面が長い形状とし両端の斜め形状の切り口角度が、支柱上部支持体の切り口角度と相対する角度になっていることを特徴とする請求項１記載の連結式アルミ大引の支柱間部支持体。
(57)【要約】      （修正有）【課題】コンクリートスラブ構築おけるパーマネント工法にて、通常２〜４ｍの長さの大引材を、分割式にすることで支柱を設置したまま、取り外すことにより、パーマネント用支柱設置省略を可能とする支柱上部支持体を提供する。【解決手段】支柱上の部分と支柱間の部分に分割できる型枠支保工の上部に取付ける連結式アルミ大引の支柱上部支持体４であって、両側面に連結棒２が収まる溝を有しており、着脱自在な前記大引材の支柱間部分の端部に連結棒で連結する。上記の支柱上部支持体は、上面が長く、下面が短い形状とし両端の斜め形状の切り口角度が、支柱間部支持体３の切り口角度と相対する角度とする。【選択図】図１
0003170676.tif 000002
【実用新案登録請求の範囲】
【請求項１】
通常、２〜４ｍ程度の長さを有する型枠支保工の支柱上部に取付ける大引材を、支柱上の部分と、支柱間の部分に分割出来る構造にし、取り外したい部分から取り外し可能な構造とした連結式アルミ大引の支柱上部支持体。
【請求項２】
支持体は上面が長く、下面が短い形状とし、両端の斜め形状の切り口角度が、支柱間部支持体の切り口角度と同じ角度でテーパーがつけられ、取り外し易い形状とする。
【考案の詳細な説明】
【図面の簡単な説明】
【０００１】
【図１】本考案の使用状態を示す側面図である。
【図２】本考案の使用状態を示す平面図である。
【図３】本考案の一実施例を示す斜視図である。
【図４】本考案の一実施例を示す側面図である。
【図５】本考案の一実施例を示す正面図である。
【符号の説明】
【０００２】
1支保工支柱、2連結棒、3支柱間支持体、4支柱上支持体、5連結ピン、６天板、7上鍔片、８上側板、９ピン挿通孔、10中鍔片、11下側板、12下鍔片、13補強板、１４支柱差込み管
【図１】
0003170676.tif 000003
【図２】
0003170676.tif 000004
【図３】
0003170676.tif 000005
【図４】
0003170676.tif 000006
【図５】
0003170676.tif 000007
【手続補正書】
【提出日】平成23年7月5日(2011.7.5)
【手続補正１】
【補正対象書類名】実用新案登録請求の範囲
【補正対象項目名】全文
【補正方法】変更
【補正の内容】
【実用新案登録請求の範囲】
【請求項１】
支柱上の部分と支柱間の部分に分割できる型枠支保工の上部に取付ける連結式アルミ大引の支柱上部支持体であって、両側面に連結棒が収まる溝を有しており、着脱自在な前記大引材の支柱間部分の端部に連結棒で連結できることを特徴とした連結式アルミ大引の支柱上部支持体。
【請求項２】
上面が長く、下面が短い形状とし両端の斜め形状の切り口角度が、支柱間部支持体の切り口角度と相対する角度になっていることを特徴とする請求項１記載の連結式アルミ大引の支柱上部支持体。
(57)【要約】      （修正有）【課題】疑似餌（ルアー）を本物の魚の如く真直ぐに動かし、形状を維持し永続的な集魚効果を発揮する疑似餌（ルアー）を提供する。【解決手段】頭部の外側は金属パイプ、内側は金属または樹脂の組み合わせからなり、強度と操作性を永続的に確保した。簡単に真直ぐに泳がす為に、斜めに切断された頭部形状を持つ金属パイプフェザージグ。各部位の形状及び角の変形を防ぎ、使用した際の整流効果を永続的に保持するとこで金属パイプフェザージグが真直ぐ泳ぎ続けるような構造を持っている。【選択図】図１
0003170673.tif 000002
【実用新案登録請求の範囲】
【請求項１】
頭部の外側は金属パイプ、内側は金属または樹脂の組み合わせからなり、強度と操作性を永続的に確保した金属パイプフェザージグ
【請求項２】
簡単に真直ぐに泳がす為に、斜めに切断された頭部形状を持つ金属パイプフェザージグ
【請求項３】
請求項２に記載した構成により各部位の形状及び角の変形を防ぎ、使用した際の整流効果を永続的に保持するとこで金属パイプフェザージグが真直ぐ泳ぎ続けるような構造を持っている。
【請求項４】
請求項１〜３に記載した金属パイプフェザージグは頭部が金属パイプと重金属の組み合わせからなり、後部は天然素材（羽毛や生物の皮）と釣針から構成されている。
【考案の詳細な説明】
【技術分野】
【０００１】本考案はフェザージグに関する。
【背景技術】
【０００２】従来の疑似餌（ルアー）は軟質の金属（鉛など）を単独で使用していたため、障害物などとの接触により形状が変形しやすく、
魚を誘う真直ぐな動きが出なくなり、永続的な集魚効果が期待できなかった。【０００３】従来の疑似餌（ルアー）には潜行力と動きを生み出すリップ（潜行板）が付いており、疑似餌（ルアー）を真直ぐに動かしにくかった。
【先行技術文献】
【特許文献】
【非特許文献】
【考案の概要】
【考案が解決しようとする課題】
【０００４】本考案は、以上のような従来の欠点に鑑み、疑似餌（ルアー）を本物の魚の如く真直ぐに動かし、形状を維持できる構造とし永続的な集魚効果を発揮する疑似餌（ルアー）を提供することで、今まで釣ることが出来なかった魚を釣るための集魚力と誘惑力を提供する事を目的としている。
【課題を解決するための手段】
【０００５】上記目的を達成する為、本考案では（［請求項１〜７］の構成要件）とで金属パイプフェザージグを構成している。
【考案の効果】
【０００６】以上の説明から明らかなように、本考案にあたっては次に列挙する効果が得られる。
（１）（［請求項１〜４］の構成要件）とで構成されているので、各部位の形状及び角の変形を防ぎ、使用した際の整流効果を長時間持続させるとこで金属パイプフェザージグが真直ぐ泳ぎ続けるような構造を持っている。【０００７】（２）
（［請求項１〜４］の構成要件）とで構成されているので、頭部形状の整流効果により、生きた魚のように真直ぐ泳がし対象魚を効果的に誘惑し釣果に貢献できる。
【図面の簡単な説明】
【０００８】
【図１】本考案を実施する為の実施例１を示した平面図である。
【０００９】
【図２】金属パイプフェザージグを上から見た場合の平面図である。
【考案を実施するための最良の形態】
【００１０】以下、本考案の実施の形態を図に基づいて説明する。
【実施例１】
【００１１】図１は本考案リグ（仕掛け）の実施例１の平面図であって、釣り糸に結び付けて使用した状態である。
【産業上の利用可能性】
【符号の説明】１硬い金属パイプ
２金属または金属
３機能拡張用輪状金具
４保護布（生物の皮や合成繊維）
５釣り針
６集魚尾鰭（合成繊維や羽毛・生物の皮）
７釣り糸
８釣り糸取り付け用輪状金具
【図１】
0003170673.tif 000003
【図２】
0003170673.tif 000004
【手続補正書】
【提出日】平成23年6月16日(2011.6.16)
【手続補正１】
【補正対象書類名】実用新案登録請求の範囲
【補正対象項目名】全文
【補正方法】変更
【補正の内容】
【実用新案登録請求の範囲】
【請求項１】
頭部の外側は金属パイプ、内側は金属または樹脂の組み合わせからなり、強度と操作性を永続的に確保した金属パイプフェザージグ
【請求項２】
簡単に真直ぐに泳がす為に、斜めに切断された頭部形状を特徴とする請求項１記載の金属パイプフェザージグ。
【請求項３】
請求項１〜２のいずれかに記載した金属パイプフェザージグは頭部が金属パイプと重金属の組み合わせからなり、後部は羽毛や生物の皮などの天然素材と釣針から構成されている金属パイプフェザージグ。
(57)【要約】      （修正有）【課題】近年、コンビニエンスストアーに於ける強盗傷害事件が多発しており、加害者と対面状態になった時に瞬時に相手にダメージを与え店員を守るシステムを提供する。【解決手段】加害者と対峙した時レジスターに隣接設置したスイッチにより、瞬時にエアーバッグがふくらみ、相手との距離（刃物が届かなくなる）ができ、ピストル等に於いては発射させる時間さえ与えない。加害者と対面者との距離を確保する事により、警報装置の作動操作、撃退道具類の準備、最終的には退避時間を作る事ができ身の安全を確保する。【選択図】図２
0003170678.tif 000002
【実用新案登録請求の範囲】
【請求項１】
金銭受け渡し場所に於けるエアーバックを利用した危険回避の為のユニット化したシステムである
車のエアーバック装置を参考にした瞬時に加害者との距離及び時間をかせぐ方法です
【考案の詳細な説明】
【背景技術】現在、車、災害用ボート等にエアーバックは多数広範囲に利用されているシステムですがコンビニエンスストアー及び銀行等のカウンターには危険回避用防御システムがありません。その危険回避の為の考案です
【考案が解決しようする課題】
【０００１】近年、コンビニエンスストアーに於ける強盗傷害事件が多発しており、加害者と対面状態になった時に瞬時に相手にダメージを与え店員を守るシステムです
（外国等に於いてはピストル等の火気が使用される事が多く、それらにも対応出来ると思います）
【課題を解決するための手段】
【０００２】加害者は必ず店員と対面状態にあるため、エアーバックを加害者側に瞬時に作動させる事で加害者を後方に押しやる事によって自分を守る時間を作る事ができる
【考案の効果】
【０００３】加害者と対面者との距離を確保する事により、警報装置の作動操作、撃退道具類の準備、最終的には退避時間を作る事ができ身の安全を確保する
（地震警報装置の様に数秒の時間が身を守る事につながる非常に重要な時間を作る事ができる）
【図面の簡単な説明】
【図１】エアーバック、圧力タンク、作動スイッチが収納されてる状態です
【図２】エアーバックが作動した後の状態です
【符号の説明】１  エアーバック
２  圧力タンク
３  作動用スイッチ
４  動作用ケーブル
５  収納カバー
６  目隠し用カバー
【図１】
0003170678.tif 000003
【図２】
0003170678.tif 000004
【手続補正書】
【提出日】平成23年7月4日(2011.7.4)
【手続補正１】
【補正対象書類名】実用新案登録請求の範囲
【補正対象項目名】全文
【補正方法】変更
【補正の内容】
【実用新案登録請求の範囲】
【請求項１】
金銭受け渡し場所に設置する机で机の前面が斜めに傾斜しておりその中にエアーバックが隠されており有事の際  瞬時にエアーバックを作動させ加害者との距離をかせぐ事を特徴とする災害を防止する装置です
【手続補正２】
【補正対象書類名】明細書
【補正対象項目名】全文
【補正方法】変更
【補正の内容】
【考案の詳細な説明】
【背景技術】現在、車、災害用ボート等にエアーバックは多数広範囲に利用されている装置ですがコンビニエンスストアー及び銀行等のカウンターには危険回避用防御装置がありません。その危険回避の為の考案です
【考案が解決しようする課題】
【０００１】近年、コンビニエンスストアーに於ける強盗傷害事件が多発しており、加害者と対向する位置にエアーバックを机部分に隠して配置し有事の際瞬時に相手にダメージを与え店員を守る装置です
（外国等に於いてはピストル等の火気が使用される事が多く、それらにも対応出来ると思います）
【課題を解決するための手段】
【０００２】加害者は必ず店員と対面状態にあるため、エアーバックを加害者側に瞬時に作動させる事で加害者を後方に押しやる事によって自分を守る時間を作る事ができる
【考案の効果】
【０００３】加害者と対面者との距離を確保する事により、警報装置の作動操作、撃退道具類の準備、最終的には退避時間を作る事ができ身の安全を確保する
（地震警報装置の様に数秒の時間が身を守る事につながる非常に重要な時間を作る事ができる）
【図面の簡単な説明】
【図１】エアーバック、作動スイッチが収納されてる状態です
【図２】エアーバックが作動した後の状態です
【符号の説明】１  エアーバック
２  作動用スイッチ
３  動作用ケーブル
４  収納カバー
５  目隠し用カバー
【手続補正３】
【補正対象書類名】図面
【補正対象項目名】全図
【補正方法】変更
【補正の内容】
【図１】
0003170678.tif 000005
【図２】
0003170678.tif 000006
(57)【要約】      （修正有）【課題】ダンボール製書類保存箱であって、書類が容積を満たさないで空間が生じる時、書類の転倒による乱れを防止し、書類の出し入れを簡単にする書類保存箱を提供する。【解決手段】外箱１に内箱２を装着し、二重にすることで強度を確保する。また内箱の横壁に数ヵ所のスリットを設けた仕切り版を差し込めるようにし、書類の転倒を防止する。また、仕切り版を移動させ内容物の量を調節し、仕切り版を増やすことにより書類を区別する。更に仕切り版の上部を折り曲げ、その上に日付、内容を記載することで内容物の出し入れを簡素化する。【選択図】図６
0003170671.tif 000002
【実用新案登録請求の範囲】
【請求項１】
書類を保管する場合、外箱に内箱を挿入し、重ね積をしても破損、潰れ等に耐えうるように強度を確保する。
【請求項２】
保存箱内で書類の転倒による乱れを防止し、内容物の判別を容易にし、必要時取り出しを簡単にするために、内箱の両横壁に数ヵ所のスリットを設け、そこに仕切り板を差し込む。更に仕切り板の上部にミシン目を付け９０度折り曲げ可能にし、その上に日時、内容を記載することにより内容物を簡単に取り出し可能にする。
【考案の詳細な説明】
【技術分野】
【０００１】  本考案は書類を保管する場合、保存箱内での書類が容積のすべてを満たさない時の（図１参照）書類の転倒による乱れを防止し、内容物の判別を容易にし、取り出しを簡単にし、なお且つ箱の強度を確保することである。
【背景技術】
【０００２】  従来のダンボール製の箱は、単に書類を収納保存するということでした。後日必要な書類を取り出すとき、その作業は困難をきわめた。また、何段も重ねるので箱が破損したり、つぶれたりするので強度を必要とした。
【考案の開示】
【考案が解決しようとする課題】
【０００３】  収納された内容物の転倒を防止し、必要書類を簡単に見つけ、更にその作業性を改善し、なお且つ、箱の強度を確保することで、問題を解決するものである。
【課題を解決するための手段】
【０００４】  外箱に内箱を挿入し、二重にすることで強度を確保する。また、内箱は横壁に１４ヵ所のスリットを設け仕切り板を差し込みできるようにする。それにより書類の転倒を防止する。また、仕切り板を移動させ内容物の量を調節し、仕切り板をふやすことで、書類を区別する。更に仕切り板の上部を折り曲げ、その上に日時、内容を記載することにより内容物の取り出し作業性を改善する。
【図面の簡単な説明】
【０００５】
【図１】本考案ダンボール製書類保存箱の外箱斜視図
【図２】本考案ダンボール製書類保存箱の内箱の斜視図
【図３】本考案ダンボール製書類保存箱仕切り板斜視図
【図４】本考案ダンボール製書類保存箱仕切り板斜視図
【図５】本考案ダンボール製書類保存箱仕切り板斜視図
【図６】本考案ダンボール製書類保存箱の外箱に内箱を装着した状態の斜視図
【図７】本考案ダンボール製書類保存箱の内箱に仕切り板を装着した状態の斜視図
【符号の説明】１  外箱
２  内箱
３  内箱に設けられたスリット
４  仕切り板
５  この部分を９０度折り曲げ、日付及び書類の名称記載スペース
６、７  仕切り版の耳、  この部分を内箱の３（スリット）に差し込み９０度左右どちらかに曲げ、中箱に固定する。
【図１】
0003170671.tif 000003
【図２】
0003170671.tif 000004
【図３】
0003170671.tif 000005
【図４】
0003170671.tif 000006
【図５】
0003170671.tif 000007
【図６】
0003170671.tif 000008
【図７】
0003170671.tif 000009
【手続補正書】
【提出日】平成23年5月12日(2011.5.12)
【手続補正１】
【補正対象書類名】実用新案登録請求の範囲
【補正対象項目名】全文
【補正方法】変更
【補正の内容】
【実用新案登録請求の範囲】
【請求項１】
外箱に内箱を挿入することで、書類を入れ、更にその箱を重ね積をしても破損、潰れ等に耐えうる強度を有するダンボール製書類保存箱。
【請求項２】
「保存箱において、
（１）書類の転倒を防止し、
（２）内容物の判別を容易にし、また、取り出しを簡単にするため、
（３）内箱の両横壁にスリットを設け、仕切り板を差し込み、
（４）仕切り板の上部にミシン目を付け、
（５）９０度折り曲げを可能にすることで、
（６）その上に日時、内容物を記載し、
（７）内容物を判別し易く、簡単に取り出せるようにした。以上の構成からなるダンボ        ール製書類保存箱」
【手続補正書】
【提出日】平成23年7月7日(2011.7.7)
【手続補正１】
【補正対象書類名】実用新案登録請求の範囲
【補正対象項目名】全文
【補正方法】変更
【補正の内容】
【実用新案登録請求の範囲】
【請求項１】
外箱に内箱を挿入することで、書類を入れ、更にその箱を重ね積をしても破損、潰れ等に耐えうる強度を有するダンボール製書類保存箱。
【請求項２】
仕切り板の上部に横一列にミシン目を付け、仕切り板の左右にスリットに差し込むための耳を設け、仕切り板を差し込むため、内箱の相対する一組の横壁にスリットを設けたことを特徴とする請求項１に記載のダンボール製書類保存箱。
(57)【要約】      （修正有）【課題】衣服の上から見えにくい携帯トイレを提供する。【解決手段】排尿器具１と、シート受け器４と、柔軟な薄いシート状の管３とを備え、管３により排尿器具の出口２とシート受け器４とを接続する。【選択図】図１
0003170669.tif 000002
【実用新案登録請求の範囲】
【請求項１】
排尿器具内でペニスの勃起による拡大が起った場合排尿器具が縮小時のままの状態を保ち、解決する為に排尿器具の出口に柔軟な薄いシート状のものや伸縮自在なものを操着し排尿器具の外で受けとめる事が出来る様にしたものである。放尿水はそのままシート状の管に導びかれ携帯トイレとなり溜めて、トイレへ捨てられる。
【請求項２】
排尿器具内の残流尿滴の逆流を防止する為、入口附近の内部に、返し爪を立あげ解決したものである。
【考案の詳細な説明】
【技術分野】
【０００１】  本考案は、近年高齢化社会が進むなか、トイレのない場所では働く事も、散歩したり、運動したり出来ない人々が多くなった。これらの課題を克服し、解しようとするものである。
【背景技術】
【０００２】雨の日の傘入れビニールシートの併用で課題解決の大きな糸口になった。
【考案が解決しようとする課題】
【０００３】まづ、携帯トイレの基になる排尿を受ける排尿器具を小さく短くし、外形上衣服の上から見えなくしようとしたもの。
【考案が課題を解決するための手段】
【０００４】排尿器具がペニスの勃起の拡大時でも、縮小時の時と同じ大きさでいられる様に排尿器具の出口からペニスの先端を飛び出させて、放尿、放出が出来る様にした事により解決した。
【考案が実施する為の最良の形熊】
【０００５】尚、ペニスの勃起時の拡大に対処する為排尿器具の出口へ、雨の日の傘入れビニールの様な、柔軟な薄いシート状のもので受けとめてシート管を通じて、そのまま足もと溜めて同時にシート受け袋に携帯トイレとして保ち、トイレへ放流処理する。衛生的尚、かつ大量に蓄尿する事が出来操作が簡単である。
【実施例】
【０００６】本考案を考えるにあたり、排尿が排尿器具の入水口から逆流し漏れるのを防せぎ激しい、座ったり、立ったり、運転したりの活動に尿漏れのない様に排尿器具の入口附近に水滴逆流防止の立ち上り爪を設けて防せいだ。
【図面の簡単な説明】
【０００７】
【図１】本図面は排尿器具の中へペニスの勃起時の拡大した時のものを入れた状況を図にしたものである。排尿器具がペニスを押入しても、縮小時となんら変わる事がないことがわかります。
【図１】
0003170669.tif 000003
【手続補正書】
【提出日】平成23年5月25日(2011.5.25)
【手続補正１】
【補正対象書類名】実用新案登録請求の範囲
【補正対象項目名】全文
【補正方法】変更
【補正の内容】
【実用新案登録請求の範囲】
【請求項１】
排尿器具（１）の出口（２）に柔軟な薄いシート状のものや伸縮自在なものを操着し、排尿器具の外で受けとめる事が出来る様にしたものであり、放尿水はそのままシート状の管（３）に導びかれ、シート受け器（４）で携帯トイレとなるものを特徴とする携帯トイレ。
【請求項２】
前記排尿器具（１）内の残流尿滴の逆流を防止する為入口附近の内部に、返し爪（５）を立ちあげ解決したものを特徴とする請求項１記載の携帯トイレ。
【手続補正書】
【提出日】平成23年7月15日(2011.7.15)
【手続補正１】
【補正対象書類名】実用新案登録請求の範囲
【補正対象項目名】全文
【補正方法】変更
【補正の内容】
【実用新案登録請求の範囲】
【請求項１】
排尿器具（１）と、シート受け器（４）と、柔軟な薄いシート状の管（３）とを備え、管（３）により排尿器具の出口（２）とシート受け器（４）とを接続したことを特徴とする携帯トイレ。
【請求項２】
前記排尿器具（１）内の残流尿滴の逆流を防止する為、排尿器具の入口附近の内部に、返し爪（５）を立ちあげたことを特徴とする請求項１記載の携帯トイレ。
(57)【要約】      （修正有）【課題】静電気の放電における障害を予防するタッチプレートにおいて、帯電した作業員などが素手でタッチプレートに触れ、正常に静電気が放電されたことを確認できる監視装置を提供する。【解決手段】タッチプレート１と接地線の間に放電電流の検出器を設け、さらに、放電電流の検出回路を２種類設けて、感度に差をつけることにより、帯電の強度の違いを音響および照光などにより報知することにより、静電気の放電を確認することができ、安全で確実な静電気管理が実現できる。【選択図】図１
0003170610.tif 000002
【実用新案登録請求の範囲】
【請求項１】
タッチプレートと接地線の間に放電電流の検出器を設けたことを特
徴とするタッチプレートの監視装置。
【請求項２】
放電電流の検出回路を２種類設けて、感度に差をつけることにより、
帯電の強度の違いを報知できることを特徴とする請求項１記載のタッチプレートの監視
装置。
【請求項３】
放電電流の検出結果を音響および照明などにより報知することを特徴
とする請求項１記載のタッチプレートの監視装置。
【考案の詳細な説明】
【技術分野】
【０００１】
この考案は、静電気の放電による障害を予防するタッチプレートの監視装置に関する。
【背景技術】
【０００２】
従来の、静電気の放電における障害を予防するタッチプレートは、図５に示すように、
導電性のプレート１に電線２が電気的に接続され、ESDアースバス３などを経て、大地
に埋設されるなどした導体の接地４まで導かれたものである。
【先行技術文献】
【特許文献】
【０００３】
【特許文献１】実開平７−１１７９９号公報
【非特許文献】
【０００４】
【非特許文献１】二澤正行編著「静電気管理入門」工業調査会刊
【考案の概要】
【考案が解決しようとする課題】
【０００５】
しかしながら、以上の技術によれば、帯電した作業員などが素手でタッチプレートに
触れ、正常に静電気が放電されたとしても、それが確実に成されたかどうかを知ること
は簡単ではない。また、電線が切れていたりして、放電回路に異常があった場合において
は、それを知ることも容易にはできない。
そこで、この考案は、静電気が放電された時に、それを報知するための監視装置を提供
することを課題とする。
【課題を解決するための手段】
【０００６】
以上の課題を解決するために、第一考案は、タッチプレートと接地線の間に放電電流の
検出器を設けたことを特徴とするタッチプレートの監視装置である。
また、第二考案は、放電電流の検出回路を２種類設けて、感度に差をつけることにより
、帯電の強度の違いを知得できることを特徴とするタッチプレートの監視装置である。
さらに、第三考案は、放電電流の検出結果を音響および照光などにより報知することを
特徴とするタッチプレートの監視装置である。
【考案の効果】
【０００７】
第一考案、および第二考案、および第三考案によれば、タッチプレートの監視装置によ
り、静電気の放電がなされたを確認することができ、安全で確実な静電気管理が実現でき
る。また、周囲にも入場者等の帯電が完全に除去されたことを報知できる。
【図面の簡単な説明】
【０００８】
【図１】この考案の一実施形態を示す斜視図である。
【図２】この考案の監視装置の一例を示す系統図である。
【図３】この考案の一実施形態である、入口前の壁面取り付けを示す斜視図である。
【図４】この考案の一実施形態である、自立型を示す斜視図である。
【図５】従来技術を示す斜視図である。
【考案を実施するための形態】
【０００９】
この考案の一実施形態を、図１に示す。
タッチプレート１は、金属板あるいは導電ゴム等の導電性の板であり、壁などに固定さ
れる。このプレートには、電線２が接続されて監視装置５に接続される。監視装置５から
は、アースバス３などを経て、大地への接地ポイント４まで電線にて導かれる。帯電し
た静電気を除去しようとする人は、このプレート１に素手で触れることにより、大地へと
放電がなされて、体に帯電した静電気を除去することが出来る。
【００１０】
図２は、監視装置５の内部回路の一例である。固定抵抗器５−１および固定抵抗器５−
２が放電回路を構成し、結合回路５−３の電磁気的により放電電流を検出する。また、ネ
オン管５−１２には、二つの固定抵抗器による分圧回路により、固定抵抗器５−２の分の
電圧が印加され、一定以上の電圧の場合のみネオン発光し、フォトトランジスタ５−１３
で特別に高い帯電体からの放電が検知される。
【００１１】
検出された電流は、入力回路１および２を経て、増幅回路１および２で増幅される。
この出力は、波形整形回路１および２において適当な長さのパルス、たとえば０．５秒
等のパルス信号に波形整形される。
【００１２】
この信号で、発振器１および２の低周波信号を、アナログスイッチ１および２を制御
して、該当する低周波音を低周波増幅器５−９に導き、スピーカー５−１０から音響にて
報知される。
【００１３】
また、同時に前項と同じ信号により、照光回路を駆動し照光器１および２が点灯するこ
とで、通常の除電および過度に大きな帯電であったことが報知される。
【００１４】
この実施形態によれば、プレートに素手で触れることにより、体に帯電した静電気を
除去することが簡単に出来る。このとき、ブザーなどの音響およびランプなどの照光に
より、この静電気放電用タッチプレートが正常に機能したことを確認出来る。また、帯電
の程度を監視装置の警報または表示装置により知得することが出来る。さらに、周囲にも
帯電の除去が期待どおり完了されたことを報知できる。
【００１５】
図３の実施形態では、タッチプレートと警報または表示装置を含む監視装置を一体化し
、静電気保護区域等への入口前の壁面に設置した例を示す。
【００１６】
図４の実施形態では、タッチプレートと警報または表示装置を含む監視装置を一体化し
、自立型のポールスタンドとしたものを示す。
【符号の説明】
【００１７】
１  タッチプレート  
２  電線    
３  ESDアースバス
４  接地    
５  監視装置
５−１  抵抗器1
５−２  抵抗器２  
５−３  結合回路      
５−４  入力回路１  
５−５  増幅回路１
５−６  波形整形回路１      
５−７  発振器１
５−８  アナログスイッチ１
５−９  低周波増幅器        
５−１０  スピーカー
５−１１  照光器１
５−１２  ネオン管        
５−１３  フォトトランジスタ
５−１４  入力回路２                      
５−１５  増幅回路２
５−１６  波形整形回路２
５−１７  発振器２  
５−１８  アナログスイッチ２
５−１９  照光器２              
【図１】
0003170610.tif 000003
【図２】
0003170610.tif 000004
【図３】
0003170610.tif 000005
【図４】
0003170610.tif 000006
【図５】
0003170610.tif 000007
(57)【要約】      （修正有）【課題】長期間着用しても苦痛がなく、安価で、気密性も良いマスクを提供する。【解決手段】１本の紐がマスク本体をまわって２ヶ所のみ固定され、紐を頭に廻して、マスクを装着する。【選択図】図１
0003170684.tif 000002
【実用新案登録請求の範囲】
【請求項１】
マスク上部の紐が四ヶ所自由に動く様に通っていることによって曇り止め効果があり頭後部を交差するように回っていることで耳に痛みを起こさせないことを特徴とした改良マスクである。
【考案の詳細な説明】
【技術分野】
【０００１】
本考案は気密性が良く長期間着用しても苦痛のない安価なマスクに関するものである。
【背景技術】
【０００２】
マスクにおいて特開２００７−３１９２８４号広報により公知となっている、他に衛生マスクとして特開2006-230962号、風予防マスクとして特開2005-058724号、マスクとして特開2001-037894号、マスクフィルター装着紐状物として特開11-151312号、耳かけ網マスクとして特開平07-194722号、マスクとして特開平06-335535号、眼鏡曇り止め用薄幕片及びそれを備えたマスクとして特開2009-066382号、マスクとして特開2006-288650号、マスク及び交換用あてガーゼとして特開2002-291914号、口元すかしマスクとして特開2002-210030号、マスクとして特開2010-178765号、パーフェクトプロテクトマスクとして特開2011-000430号も公知となっている。
【先行技術文献】
【特許文献】
【０００３】
【特許文献１】特開２００７−３１９２８４号
【特許文献２】特開2006-230962号
【特許文献３】特開2005-058724号
【特許文献４】特開2001-037894号
【特許文献５】特開11-151312号
【特許文献６】特開平07-194722号
【特許文献７】特開平06-335535号
【特許文献８】特開2009-066382号
【特許文献９】特開2002-291914号
【特許文献１０】特開2002-210030号
【特許文献１１】特開2010-178765号
【特許文献１２】特開2011-000430号
【特許文献１３】特開2006-288650号
【考案の概要】
【考案が解決しようとする課題】
【０００４】
気密性を高めるために立体製法等いろいろあるが、空間があるため皮膚が湿気でベタツキ価格も上がってしまう、また長時間耳に掛けていると耳が痛くなってしまう。
【課題を解決するための手段】
【０００５】
そこで本考案は従来の製作方法大幅に変えないで気密度を上げ耳に負担がかからないマスクを提供することを目的とした。
【考案の効果】
【０００６】
この改良マスクによれば、低価格で気密性の良い長期間着用しても疲れないマスクを提供できる。
【図面の簡単な説明】
【０００７】
【図１】本考案に係わる正面図・平面図・使用時上部平面図及び部分詳細であり各々の番号は共通である。
【符号の説明】
【０００８】
１. マスク本体
２. 紐(ゴム)
３. 紐固定輪
４.本体マスク内通し位置
５. 折れ位置
【図１】
0003170684.tif 000003
【手続補正書】
【提出日】平成23年7月21日(2011.7.21)
【手続補正１】
【補正対象書類名】実用新案登録請求の範囲
【補正対象項目名】全文
【補正方法】変更
【補正の内容】
【実用新案登録請求の範囲】
【請求項１】
一般のマスクと異なり、この改良マスクは1本の紐がマスク本体をまわって2ヶ所のみ固定され耳に掛けるのではなく頭を廻した紐によって掛けることが特徴とした改良マスク。
(57)【要約】      （修正有）【課題】車の窓ガラスに掛けて使用する車窓用日焼防止シートを提供する。【解決手段】日光を通さない薄いプラスチックシート等の上部を車の窓ガラスの上面の形に切断し、その上部を１〜数ｃｍ程度折り曲げて窓ガラスに掛けられるようにし、日光が顔に当たらない位置の窓ガラスに掛けて窓ガラスを上げて、窓ガラスで窓枠の溝に挟んで固定し日差しを防ぐ。叉夏場の気温が高い時の車内の温度上昇をおさえることも出来る。【選択図】図１
0003170689.tif 000002
【実用新案登録請求の範囲】
【請求項１】
日光を通さない薄いプラスチックシート等の上部を車の窓ガラスの上面の形に切断しその上部を、窓ガラスを挟めるように折り曲げて窓ガラスに掛けられるようにし、さらにそれを窓ガラスで窓枠の溝に挟めるようにした車窓用日焼け防止カーテン。
【考案の詳細な説明】
【技術分野】
【０００１】  本考案は、車の窓から車内に入る太陽光を防ぐ日焼け防止カーテンに関する。
【背景技術】
【０００２】  車を運転しているとき車の横の窓からの太陽の日差しで日焼けするのがいやなときがある。
叉夏場等の気温が高い時は日差しによる車内温度の上昇を抑える必要がある。
【考案の概要】
【考案が解決しようとする課題】
【０００３】  運転中の車の横の窓からの太陽光による日焼け防止、及び車内温度の上昇を防止する。
【課題を解決するための手段】
【０００４】  日光を通さない薄いプラスチックシート等の上部を車の窓ガラスの上面の形に切断し、その上部を１〜数ｃｍ程度窓ガラスを挟めるように折り曲げて、窓ガラスに掛けられるようにし、日光が顔に当たらない位置の窓ガラスに掛けて窓ガラスを上げて、窓ガラスで窓枠の溝に挟んで固定し日差しを防ぐ。
叉車を駐車時は窓ガラスを少し下げて窓ガラスに掛けることも出来る。
【考案の効果】
【０００５】  本考案は、日焼け防止カーテンを必要に応じて車の窓に取り付けたり取り外したりさらに太陽の位置に合わせて動かしたりするのが簡単に出来る。
叉日焼け防止カーテンに車の説明書や、事故時の保険関係の連絡番号等を印刷して者内に置いておくと便利である。
夏場の気温が高い時の車内の温度上昇をおさえることも出来る。
【図面の簡単な説明】
【０００６】
【図１】実施態様を示す図
【図２】正面図
【図３】断面図（図２のＡ−Ａ断面図）
【考案を実施するための形態】
【０００７】１．  カーテンの材質は窓ガラスと窓枠に挟められる程度の弾力性のあるもので、さらに薄くても窓枠に掛けられるような形状を保つ材質とする。
２．  カーテンの上面は車の窓枠の形にし、側面及び下面はいろいろな形にデザインにすることが出来る。
【図１】
0003170689.tif 000003
【図２】
0003170689.tif 000004
【図３】
0003170689.tif 000005
【手続補正書】
【提出日】平成23年7月7日(2011.7.7)
【手続補正１】
【補正対象書類名】実用新案登録請求の範囲
【補正対象項目名】全文
【補正方法】変更
【補正の内容】
【実用新案登録請求の範囲】
【請求項１】
直射日光を通さない薄いプラスチックシート等の上部を曲げて窓ガラスに掛けられるようにし、さらにそれを窓ガラスで窓枠の溝に押し込んで挟められるようにした車窓用日焼け防止シート。
【手続補正２】
【補正対象書類名】明細書
【補正対象項目名】全文
【補正方法】変更
【補正の内容】
【考案の詳細な説明】
【技術分野】
【０００１】  本考案は、車や窓から車内に入る直射日光による日焼けを防止するシートに関する。
【背景技術】
【０００１】  車を運転しているときや乗車中、車の横の窓から入る直射日光による日焼けを防ぐためウチワを窓枠に押し込んだりすることがある。
【考案の概要】
【考案が解決しようとする課題】
【０００３】  車を運転しているときや乗車中の、車の横の窓から入る直射日光による日焼けを防止する。
【課題を解決するための手段】
【０００４】  直射日光を通さない薄いプラスチックシート等を、直射日光が顔や首に当たらないように防ぐことが出来る大きさに切断し、その上部を１〜数ｃｍ程度車の窓ガラスに掛けられるように曲げて、窓ガラスに掛けて窓ガラスを上げて窓ガラスで窓枠の溝に押し込んで固定し直射日光を防ぐ。
【考案の効果】
【０００５】  本考案は、日焼け防止シートを必要に応じて車の窓に取り付けたり取り外したり、さらに太陽の位置に合わせて動かしたりするのが簡単に出来る。叉シートに車の説明書や、保険関係の連絡番号等を印刷して車内に置いておくと便利である。
【図面の簡単な説明】
【０００６】
【図１】実施態様を示す図
【図２】シートの正面図
【図３】シートの側面図（図２のＡ−Ａ断面図）
【考案を実施するための形態】
【０００７】１．  シートは車の窓枠の溝と窓ガラスの間に押し込める程度に薄いものとする。
２．  シートの材質は、窓ガラスに掛けても曲げたシートの上部の形状を保つようにする。
３．  シートの上部は車の車種に応じ窓ガラスの上部の形に切断する。
４．  シートは顔や首の直射日光を防げる大きさにし、形はいろいろデザインできる。
【符号の説明】
【０００８】１  車窓用日焼け防止シート
【手続補正３】
【補正対象書類名】図面
【補正対象項目名】全図
【補正方法】変更
【補正の内容】
【図１】
0003170689.tif 000006
【図２】
0003170689.tif 000007
【図３】
0003170689.tif 000008
(57)【要約】      （修正有）【課題】簡易な構造で安価なスカート掛けハンガーを提供する。【解決手段】鋼板の中央から等間隔のところを折り曲げた面を、２面共に鋼板の中央に対して遠ざかる方向に円弧状として、２つの面が共に接する形状とし、円弧状とすることによりその先端にフックを設けた部材を備える。【選択図】図３
0003170686.tif 000002
【実用新案登録請求の範囲】
【請求項１】
鋼板の中央から等間隔のところを折り曲げた面を２面共に円弧状にし、先端部が共に接する形状とし、その先端にフックを設けたことを特徴とするスカート掛けハンガー。
【考案の詳細な説明】
【技術分野】
【０００１】  本考案は、鋼板を円弧状に折り曲げ、折り曲げた両面が接するように加工し、その先端部にフックを取付たもの。
【背景技術】
【０００２】  従来のスカート掛けハンガーは、先端のはさむところに洗濯バサミ状のものを取付る必要があった。
【考案の開示】
【考案が解決しようとする課題】
【０００３】  スカートをはさむ部分が簡易なものになり、スカート掛けハンガーのコスト削減を図ることができ前途の欠点を解決しようとするものである。
【課題を解決するための手段】
【０００４】  スカートをはさむ部分を安価にできたので、コストの削減ができ問題点を解決している。
【考案の効果】
【０００５】  上途の様に考案のスカート掛けハンガーはスカートをはさむ部分を簡易で安価なものにしたので、スカート掛けハンガーの価額を安価にできクリーニング代の経費を下げることに役立つ。
【考案を実施するための最良の形態】
【０００６】  強化プラスチックをハンガーの背掛部を作る型に流し、プレスしてハンガーの形を作る。それに鋼板を加工したスカートばさみをハンガー本体の２カ所に取付けスカートをつるす。材質は強化鋼板が良い。
【実施例】
【０００７】  以下、添付図に従って実施例を説明する。図３に示すスカートをはさむ部分を図４に示すペンチで先端部をひっかけ開口し、スカートをはさむ。次に、図１に示すハンガー本体に図３に示す溝の部分を通しスカートをつるす。【０００８】  本考案の実施例は上途の如き構成からなるものであり、図１に示すようにスカート掛けハンガーとして用いる。
【図面の簡単な説明】
【０００９】
【図１】正面図
【図２】側面図
【図３】立面図
【図４】実施例図
【符号の説明】１、はさむ部分
２、フック
３、溝
４、ペンチ
【図１】
0003170686.tif 000003
【図２】
0003170686.tif 000004
【図３】
0003170686.tif 000005
【図４】
0003170686.tif 000006
【手続補正書】
【提出日】平成23年7月8日(2011.7.8)
【手続補正１】
【補正対象書類名】実用新案登録請求の範囲
【補正対象項目名】全文
【補正方法】変更
【補正の内容】
【実用新案登録請求の範囲】
【請求項１】
鋼板の中央から等間隔のところを折り曲げた面を、２面共に鋼板の中央に対して遠ざかる方向に円弧状として、２つの面が共に接する形状とし、前記円弧状とすることによりその先端にフックを設けた部材を設えたことを特徴とするスカート掛けハンガー。
(57)【要約】      （修正有）【課題】浮力を確保し、尚衝撃に強い救命胴衣となるフローティングプロテクターを提供する。【解決手段】製造過程や完成後の救命胴衣の浮力体を硬質ウレタンに変更する。【選択図】図１
0003170584.tif 000002
【実用新案登録請求の範囲】
【請求項１】
硬質ウレタンを使う事で固く変形が無い性質を利用した身体を津波時の浮遊障害物から守るフローティングプロテクター。
【考案の詳細な説明】
【技術分野】
【０００１】
本考案は、救命胴衣の本体浮力部を空気チューブや弾力があり伸縮する発泡ポリエチレンなどの変わりに形状の変化しない固い硬質発泡ウレタン浮力材で救命胴衣を形成し強化する事で形状を変化させない技術である。
【背景技術】
【０００２】
従来の救命胴衣は、柔らかい素材や空気注入式の為、外圧による身体への衝撃を防ぐことが出来ない。その為、落水時や浮遊中に障害物による怪我が生じる恐れがある。
【０００３】
水面にて使用中に、障害物とのにより接触、衝突により人命に関わる危険が発生する欠点があった。
【先行技術文献】
【特許文献】
【０００４】
【特許文献１】実願２００８−１２０２
【考案の概要】
【考案が解決しようとする課題】
【０００５】
救命胴衣としての本来の水に浮く機能をもち、水上浮遊中に障害物接触による衝撃から身体を守り、怪我から回避できるという前述の課題を解決するものである。
【課題を解決するための手段】
【０００６】
上記目的を達成する為に、本考案は硬質ウレタンを使う事で固く変形が無い性質を利用した身体を津波時の浮遊障害物から守る防御胴衣を解決する。
【考案の効果】
【０００７】
図２の硬質ウレタンで構成された救命胴衣は形状は空気やと変わらぬ形状だが、硬度は著しく向上する。
【図面の簡単な説明】
【０００８】
【図１】通常の発泡ポリエチレン素材の断面
【図２】硬質ウレタン素材の断面
【考案を実施するための形態】
【０００９】
以下、本考察の実施の形態を図に基づいて説明する。
【００１０】
A発泡ポリエチレンや空気注入型は救命胴衣としての浮力は充分確保出来るが、従来の空気式救命胴衣の一般的な素材である発泡ポリエチレン素材の断面のとおり毛細状の繊維構成なので伸縮し形状が変化しやすく水分も浸透しやすい構造の浮力体ある。
Bの独立発泡型の硬質ウレタンは素材構造上独立気質で繊維状に連続していないために堅く変形しない事で外部のからの障害物にぶつかった時も胴衣が衝撃をはねのける事で怪我から体を守る事ができる浮力体である。
【産業上の利用可能性】
【００１１】
外傷に弱いとされる発泡ポリエチレンや空気注入式の救命胴衣が強化され、衝撃や傷に強く、人体を守ることが出来、津波などの水害時の身体防衛道具として活躍できる。
【符号の説明】
【００１２】
A   人体
B  内部浮力体
Ｃ  胴衣の外装布
【図１】
0003170584.tif 000003
【図２】
0003170584.tif 000004